(57)【特許請求の範囲】
【請求項１】
気相冷媒熱交換パイプ（６）と、
前記気相冷媒熱交換パイプ（６）とは熱交換器の同じ側に設けられる液相冷媒熱交換パイプ（７）と、
前記気相冷媒熱交換パイプ（６）に連通し、前記熱交換器の第１側に位置する第１の気相冷媒熱交換パイプ用枝管（２１）と、前記熱交換器の第１側とは反対側に位置する第２の気相冷媒熱交換パイプ用枝管（２２）とを含む気相冷媒熱交換パイプ用枝管（２）と、
前記液相冷媒熱交換パイプ（７）に連通し、前記熱交換器の第１側に位置する第１の液相冷媒熱交換パイプ用枝管（３１）と、前記熱交換器の第１側とは反対側に位置する第２の液相冷媒熱交換パイプ用枝管（３２）とを含む液相冷媒熱交換パイプ用枝管（３）と、
フィン（１）と、を含み、
前記フィン（１）上には、前記気相冷媒熱交換パイプ用枝管（２）が貫通する気相冷媒熱交換パイプ用枝管通路（４）と、前記液相冷媒熱交換パイプ用枝管（３）が貫通する液相冷媒熱交換パイプ用枝管通路（５）とが設けられており、
前記第１の気相冷媒熱交換パイプ用枝管（２１）、第２の気相冷媒熱交換パイプ用枝管（２２）、第１の液相冷媒熱交換パイプ用枝管（３１）および第２の液相冷媒熱交換パイプ用枝管（３２）の管口には、前記第１の気相冷媒熱交換パイプ用枝管（２１）、前記第２の気相冷媒熱交換パイプ用枝管（２２）、前記第１の液相冷媒熱交換パイプ用枝管（３１）および前記第２の液相冷媒熱交換パイプ用枝管（３２）の管口を開閉するための開閉装置が設けられている
ことを特徴とする熱交換器。
【請求項２】
ガス管接続装置をさらに含み、前記気相冷媒熱交換パイプ用枝管（２）が前記ガス管接続装置を介して前記気相冷媒熱交換パイプ（６）に連通する
ことを特徴とする請求項１に記載の熱交換器。
【請求項３】
前記ガス管接続装置が、ガス収集用三方継手（２３）である
ことを特徴とする請求項２に記載の熱交換器。
【請求項４】
前記気相冷媒熱交換パイプ（６）が前記熱交換器の第１側に設けられ、前記ガス収集用三方継手（２３）は前記第１の気相冷媒熱交換パイプ用枝管（２１）に接続される
ことを特徴とする請求項３に記載の熱交換器。
【請求項５】
液管接続装置をさらに含み、前記液相冷媒熱交換パイプ用枝管（３）が前記液管接続装置を介して前記液相冷媒熱交換パイプ（７）に連通する
ことを特徴とする請求項１に記載の熱交換器。
【請求項６】
前記液管接続装置が、液送給用三方継手（３３）である
ことを特徴とする請求項５に記載の熱交換器。
【請求項７】
前記液相冷媒熱交換パイプ（７）が前記熱交換器の第１側に設けられ、前記液送給用三方継手（３３）は前記第１の液相冷媒熱交換パイプ用枝管（３１）に接続される
ことを特徴とする請求項６に記載の熱交換器。
【請求項８】
前記開閉装置がプラグである
ことを特徴とする請求項１乃至７のうち何れか一項に記載の熱交換器。
【請求項９】
蒸発器又は凝縮器である請求項１乃至８のうち何れか一項に記載の熱交換器を備える
ことを特徴とするエアコン。
【請求項１０】
気相冷媒熱交換パイプ（６）と、
前記気相冷媒熱交換パイプ（６）とは熱交換器の同じ側に設けられる液相冷媒熱交換パイプ（７）と、
前記気相冷媒熱交換パイプ（６）に連通する気相冷媒熱交換パイプ用枝管（２）であって、互いに連通する、前記熱交換器の第１側に位置する第１の気相冷媒熱交換パイプ用枝管（２１）と、前記熱交換器の第１側とは反対側に位置する第２の気相冷媒熱交換パイプ用枝管（２２）とを含む気相冷媒熱交換パイプ用枝管（２）と、
前記液相冷媒熱交換パイプ（７）に連通する液相冷媒熱交換パイプ用枝管（３）であって、互いに連通する、前記熱交換器の第１側に位置する第１の液相冷媒熱交換パイプ用枝管（３１）と、前記熱交換器の第１側とは反対側に位置する第２の液相冷媒熱交換パイプ用枝管（３２）とを含む液相冷媒熱交換パイプ用枝管（３）と、
フィン（１）と、を含み、
前記フィン（１）上には、前記気相冷媒熱交換パイプ用枝管（２）が貫通する気相冷媒熱交換パイプ用枝管通路（４）と、前記液相冷媒熱交換パイプ用枝管（３）が貫通する液相冷媒熱交換パイプ用枝管通路（５）とが設けられており、
前記第１の気相冷媒熱交換パイプ用枝管（２１）、第２の気相冷媒熱交換パイプ用枝管（２２）、第１の液相冷媒熱交換パイプ用枝管（３１）および第２の液相冷媒熱交換パイプ用枝管（３２）の管口には、前記第１の気相冷媒熱交換パイプ用枝管（２１）、前記第２の気相冷媒熱交換パイプ用枝管（２２）、前記第１の液相冷媒熱交換パイプ用枝管（３１）および前記第２の液相冷媒熱交換パイプ用枝管（３２）の管口を開閉するための開閉装置が設けられている
ことを特徴とする熱交換器。  
【発明の詳細な説明】
【技術分野】
【０００１】
本発明はエアコンに関し、具体的には、熱交換器およびそれを備えたエアコンに関する。
【背景技術】
【０００２】
従来、エアコンを取り付ける際に、熱交換器の管路配置方式として、通常、１つの液相冷媒熱交換パイプと１つの気相冷媒熱交換パイプとを設けるとともに、液相冷媒熱交換パイプおよび気相冷媒熱交換パイプは、ともに熱交換器の右側に取り付けられるのが一般的である。しかし、エアコンを取り付ける際に、ユーザのニーズに応じて、管路を左側に配置するか、右側に配置するように取り付ける可能性がある。従来のエアコンの熱交換器によっては、管路を一方の側にしか配置することができず、取り付けが不便な課題がある。
【発明の概要】
【発明が解決しようとする課題】
【０００３】
本発明の実施例は、ニーズに応じて、何れか一方の側の管路と接続することができ、構造が簡単で、取り付けやすい熱交換器およびそれを備えたエアコンを提供する。
【課題を解決するための手段】
【０００４】
上記課題を解決するために、本発明の実施例によれば、気相冷媒熱交換パイプと、前記気相冷媒熱交換パイプとは熱交換器の同じ側に設けられる液相冷媒熱交換パイプと、前記気相冷媒熱交換パイプに連通し、前記熱交換器の第１側に位置する第１の気相冷媒熱交換パイプ用枝管と、前記熱交換器の第１側とは反対側に位置する第２の気相冷媒熱交換パイプ用枝管とを含む気相冷媒熱交換パイプ用枝管と、前記液相冷媒熱交換パイプに連通し、前記熱交換器の第１側に位置する第１の液相冷媒熱交換パイプ用枝管と、前記熱交換器の第１側とは反対側に位置する第２の液相冷媒熱交換パイプ用枝管とを含む液相冷媒熱交換パイプ用枝管と、を含み、前記第１の気相冷媒熱交換パイプ用枝管、第２の気相冷媒熱交換パイプ用枝管、第１の液相冷媒熱交換パイプ用枝管および第２の液相冷媒熱交換パイプ用枝管の管口には、それぞれの枝管の管口を開閉するための開閉装置が設けられている熱交換器が提供される。
【０００５】
前記熱交換器は、フィンをさらに含み、前記フィン上には、前記気相冷媒熱交換パイプ用枝管が貫通する気相冷媒熱交換パイプ用枝管通路と、前記液相冷媒熱交換パイプ用枝管が貫通する液相冷媒熱交換パイプ用枝管通路とが設けられていることが好ましい。
【０００６】
前記熱交換器は、ガス管接続装置をさらに含み、前記気相冷媒熱交換パイプ用枝管が前記ガス管接続装置を介して前記気相冷媒熱交換パイプに連通することが好ましい。
【０００７】
前記ガス管接続装置が、ガス収集用三方継手であることが好ましい。
【０００８】
前記気相冷媒熱交換パイプが前記熱交換器の第１側に設けられ、前記ガス収集用三方継手は前記第１の気相冷媒熱交換パイプ用枝管に接続されることが好ましい。
【０００９】
前記熱交換器は、液管接続装置をさらに含み、前記液相冷媒熱交換パイプ用枝管が前記液管接続装置を介して前記液相冷媒熱交換パイプに連通することが好ましい。
【００１０】
前記液管接続装置が、液送給用三方継手であることが好ましい。
【００１１】
前記液相冷媒熱交換パイプが前記熱交換器の第１側に設けられ、前記液送給用三方継手は前記第１の液相冷媒熱交換パイプ用枝管に接続されることが好ましい。
【００１２】
前記開閉装置がプラグであることが好ましい。
【００１３】
本発明の他の一態様によれば、蒸発器又は凝縮器である上述の何れか一項に記載の熱交換器を備えるエアコンがさらに提供される。
【００１４】
本発明の更なる一態様によれば、気相冷媒熱交換パイプと、気相冷媒熱交換パイプとは熱交換器の同じ側に設けられる液相冷媒熱交換パイプと、気相冷媒熱交換パイプに連通し、熱交換器の第１側に位置する第１の気相冷媒熱交換パイプ用枝管と、熱交換器の第１側とは反対側に位置する第２の気相冷媒熱交換パイプ用枝管とを含む気相冷媒熱交換パイプ用枝管と、液相冷媒熱交換パイプに連通し、熱交換器の第１側に位置する第１の液相冷媒熱交換パイプ用枝管と、熱交換器の第１側とは反対側に位置する第２の液相冷媒熱交換パイプ用枝管とを含む液相冷媒熱交換パイプ用枝管と、を含む熱交換器が提供される。
【００１５】
第１の気相冷媒熱交換パイプ用枝管、第２の気相冷媒熱交換パイプ用枝管、第１の液相冷媒熱交換パイプ用枝管および第２の液相冷媒熱交換パイプ用枝管の管口には、第１の気相冷媒熱交換パイプ用枝管、第２の気相冷媒熱交換パイプ用枝管、第１の液相冷媒熱交換パイプ用枝管および第２の液相冷媒熱交換パイプ用枝管の管口を開閉するための開閉装置が設けられていることが好ましい。
【００１６】
熱交換器は、フィンをさらに含み、フィン上には、気相冷媒熱交換パイプ用枝管が貫通する気相冷媒熱交換パイプ用枝管通路と、液相冷媒熱交換パイプ用枝管が貫通する液相冷媒熱交換パイプ用枝管通路とが設けられていることが好ましい。
【００１７】
熱交換器は、ガス管接続装置をさらに含み、気相冷媒熱交換パイプ用枝管がガス管接続装置を介して気相冷媒熱交換パイプに連通することが好ましい。
【００１８】
熱交換器は、液管接続装置をさらに含み、液相冷媒熱交換パイプ用枝管が液管接続装置を介して液相冷媒熱交換パイプに連通することが好ましい。
【００１９】
本発明の他の一態様によれば、蒸発器又は凝縮器である上述した熱交換器を備えるエアコンがさらに提供される。
【００２０】
本発明の他の一態様によれば、気相冷媒熱交換パイプと、気相冷媒熱交換パイプとは熱交換器の同じ側に設けられる液相冷媒熱交換パイプと、気相冷媒熱交換パイプに連通する気相冷媒熱交換パイプ用枝管であって、互いに連通する、熱交換器の第１側に位置する第１の気相冷媒熱交換パイプ用枝管と、熱交換器の第１側とは反対側に位置する第２の気相冷媒熱交換パイプ用枝管とを含む気相冷媒熱交換パイプ用枝管と、液相冷媒熱交換パイプに連通する液相冷媒熱交換パイプ用枝管であって、互いに連通する、熱交換器の第１側に位置する第１の液相冷媒熱交換パイプ用枝管と、熱交換器の第１側とは反対側に位置する第２の液相冷媒熱交換パイプ用枝管とを含む液相冷媒熱交換パイプ用枝管と、を含む熱交換器がさらに提供される。
【発明の効果】
【００２１】
本発明の実施例で提供される熱交換器によると、気相冷媒熱交換パイプと液相冷媒熱交換パイプが熱交換器の同じ側に設けられる。気相冷媒熱交換パイプ用枝管は、気相冷媒熱交換パイプに連通するものであり、熱交換器の第１側に位置する第１の気相冷媒熱交換パイプ用枝管と、熱交換器の第１側とは反対側に位置する第２の気相冷媒熱交換パイプ用枝管とを含む。液相冷媒熱交換パイプ用枝管は、液相冷媒熱交換パイプに連通するものであり、熱交換器の第１側に位置する第１の液相冷媒熱交換パイプ用枝管と、熱交換器の第１側とは反対側に位置する第２の液相冷媒熱交換パイプ用枝管とを含む。第１の気相冷媒熱交換パイプ用枝管、第２の気相冷媒熱交換パイプ用枝管、第１の液相冷媒熱交換パイプ用枝管および第２の液相冷媒熱交換パイプ用枝管の管口には、それぞれの枝管の管口を開閉するための開閉装置が設けられている。気相冷媒熱交換パイプ用枝管と液相冷媒熱交換パイプ用枝管がそれぞれ２つの枝管を含み、かつ２つの枝管が熱交換器の両側に位置しているので、エアコンを取り付ける際に、ニーズに応じて管路出口方向を選択し、熱交換器の第１側又は第２側の枝管と直接接続することができ、気相冷媒熱交換パイプと液相冷媒熱交換パイプを折り曲げる必要がないとともに、機械全体の後ろにて管路に長い距離を走らせたり管路が走るための空間を予め保留する必要もなく、取り付けや取り外しがしやすいとともに、機械全体をより小さく、より薄くすることもできる。
【図面の簡単な説明】
【００２２】
本願の一部を構成する明細書用図面は、本発明をさらに理解させるためのものであり、本発明における概念的実施例及びその説明は本発明を説明するものであり、本発明を不当に限定するものではない。図面において、
【図１】本発明の実施例に係わる熱交換器のフィン構造を示す図である。
【図２】本発明の実施例に係わる熱交換器の構造を示す図である。
【図３】本発明の実施例に係わる熱交換器のガス収集用三方継手および液送給三方継手の接続構造を示す図である。
【符号の説明】
【００２３】
１…フィン、２…気相冷媒熱交換パイプ用枝管、３…液相冷媒熱交換パイプ用枝管、４…気相冷媒熱交換パイプ用枝管通路、５…液相冷媒熱交換パイプ用枝管通路、６…気相冷媒熱交換パイプ、７…液相冷媒熱交換パイプ、２１…第１の気相冷媒熱交換パイプ用枝管、２２…第２の気相冷媒熱交換パイプ用枝管、２３…ガス収集用三方継手、２４…第１の気相冷媒熱交換パイプ用枝管プラグ、２５…第２の気相冷媒熱交換パイプ用枝管プラグ、３１…第１の液相冷媒熱交換パイプ用枝管、３２…第２の液相冷媒熱交換パイプ用枝管、３３…液送給用三方継手、３４…第１の液相冷媒熱交換パイプ用枝管プラグ、３５…第２の液相冷媒熱交換パイプ用枝管プラグ。
【発明を実施するための形態】
【００２４】
なお、衝突しない限り、本願の実施例及び実施例中の構成要件を組み合わせることができる。以下、図面を参照しつつ実施例を結合して本発明を詳しく説明する。
【００２５】
図１乃至図３を参照し、本発明の実施例に係わる熱交換器は、フィン１と、気相冷媒熱交換パイプ６と、液相冷媒熱交換パイプ７と、気相冷媒熱交換パイプ用枝管２と、液相冷媒熱交換パイプ用枝管３と、を含み、気相冷媒熱交換パイプ６と液相冷媒熱交換パイプ７が熱交換器の同じ側に設けられ、気相冷媒熱交換パイプ用枝管２は、気相冷媒熱交換パイプ６に連通し、熱交換器の第１側に位置する第１の気相冷媒熱交換パイプ用枝管２１と、熱交換器の第１側とは反対側に位置する第２の気相冷媒熱交換パイプ用枝管２２とを含み、液相冷媒熱交換パイプ用枝管３は、液相冷媒熱交換パイプ７に連通し、熱交換器の第１側に位置する第１の液相冷媒熱交換パイプ用枝管３１と、熱交換器の第１側とは反対側に位置する第２の液相冷媒熱交換パイプ用枝管３２とを含む。第１の気相冷媒熱交換パイプ用枝管２１、第２の気相冷媒熱交換パイプ用枝管２２、第１の液相冷媒熱交換パイプ用枝管３１および第２の液相冷媒熱交換パイプ用枝管３２の管口には、それぞれの枝管の管口を開閉するための開閉装置が設けられている。本発明の実施例において、熱交換器の右側を第１側とし、気相冷媒熱交換パイプ６と液相冷媒熱交換パイプ７が熱交換器の右側に設けられ、第１の気相冷媒熱交換パイプ用枝管２１と第１の液相冷媒熱交換パイプ用枝管３１が熱交換器の右側に位置する。気相冷媒熱交換パイプ用枝管２と液相冷媒熱交換パイプ用枝管３はそれぞれ２つの枝管を含み、かつ２つの枝管が熱交換器の両側に位置しているので、エアコンを取り付ける際に、管路出口方向を任意に選択することができ、管路を折り曲げる必要がないとともに、機械全体の後ろにて管路を長く走らせる必要もない。
【００２６】
本発明の実施例に係わる熱交換器のフィン１上には、気相冷媒熱交換パイプ用枝管２が貫通する気相冷媒熱交換パイプ用枝管通路４と、液相冷媒熱交換パイプ用枝管３が貫通する液相冷媒熱交換パイプ用枝管通路５とが設けられていることが好ましい。
【００２７】
気相冷媒熱交換パイプ用枝管２にガス管接続装置が設けられ、本発明の実施例におけるガス管接続装置が、ガス収集用三方継手２３であることが好ましく、第１の気相冷媒熱交換パイプ用枝管２１および気相冷媒熱交換パイプ６は熱交換器の第１側に位置し、このガス収集用三方継手２３はネジによって第１の気相冷媒熱交換パイプ用枝管２１および気相冷媒熱交換パイプ６に接続される。ガス管接続装置によって、エアコンを取り付ける際に、ユーザが管路出口を熱交換器の第１側に設けるように選択しても、第２側に設けるように選択しても、気相冷媒熱交換パイプ用枝管２と気相冷媒熱交換パイプ６とをガス管接続装置によって連通することができる。また、ガス収集用三方継手２３およびネジ接続方式を用い、ガス管接続装置を、気相冷媒熱交換パイプ６およびそれと同じ側にある第１の気相冷媒熱交換パイプ用枝管２１上に接続することで、取り付けや取り外しがしやすくなる。なお、他の接続装置および接続方式を用いても上記目的を実現することができるのは、言うまでもない。
【００２８】
液相冷媒熱交換パイプ用枝管３に液管接続装置が設けられ、本発明の実施例における液管接続装置が、液送給用三方継手３３であることが好ましく、第１の液相冷媒熱交換パイプ用枝管３１および液相冷媒熱交換パイプ７は熱交換器の右側に位置し、この液送給用三方継手３３はネジによって第１の液相冷媒熱交換パイプ用枝管３１および液相冷媒熱交換パイプ７に接続される。液管接続装置によって、エアコンを取り付ける際に、ユーザが管路出口を熱交換器の第１側に設けるように選択しても、第２側に設けるように選択しても、液相冷媒熱交換パイプ用枝管３と液相冷媒熱交換パイプ７とを液管接続装置によって連通することができる。また、液送給用三方継手３３およびネジ接続方式を用い、液管接続装置を、液相冷媒熱交換パイプ７およびそれと同じ側にある第１の液相冷媒熱交換パイプ用枝管３１上に接続することで、取り付けや取り外しがしやすくなる。なお、他の接続装置および接続方式を用いても上記目的を実現することができるのは、言うまでもない。
【００２９】
本発明の実施例において、各枝管の管口に設けられた開閉装置がプラグであり、第１の気相冷媒熱交換パイプ用枝管２１の管口に設けられた第１の気相冷媒熱交換パイプ用枝管プラグ２４と、第２の気相冷媒熱交換パイプ用枝管２２の管口に設けられた第２の気相冷媒熱交換パイプ用枝管プラグ２５と、第１の液相冷媒熱交換パイプ用枝管３１の管口に設けられた第１の液相冷媒熱交換パイプ用枝管プラグ３４と、第２の液相冷媒熱交換パイプ用枝管３２の管口に設けられた第２の液相冷媒熱交換パイプ用枝管プラグ３５と、を含む。エアコンを取り付ける際に、ユーザが管路出口を第１側に設けるように選択する場合、第１の気相冷媒熱交換パイプ用枝管プラグ２４と第１の液相冷媒熱交換パイプ用枝管プラグ３４とを取り外して、ユーザ管路と接続できるが、第２の気相冷媒熱交換パイプ用枝管プラグ２５と第２の液相冷媒熱交換パイプ用枝管プラグ３５とを、第２の気相冷媒熱交換パイプ用枝管２２と第２の液相冷媒熱交換パイプ用枝管３２とを閉じることに用いる。同様に、ユーザが管路出口を第２側に設けるように選択する場合、第２の気相冷媒熱交換パイプ用枝管プラグ２５と第２の液相冷媒熱交換パイプ用枝管プラグ３５とを取り外すが、第１の気相冷媒熱交換パイプ用枝管プラグ２４と第１の液相冷媒熱交換パイプ用枝管プラグ３４とを、第１の気相冷媒熱交換パイプ用枝管２１と第１の液相冷媒熱交換パイプ用枝管３１とを封止することに用いる。本発明の開閉装置はナット又は他の装置によっても本発明の目的を実現することができるのは、言うまでもない。
【００３０】
本発明の他の一態様によれば、上述した熱交換器を備えるエアコンが提供され、前記熱交換器が蒸発器又は凝縮器であってもよい。
【００３１】
本発明の熱交換器およびエアコンを用いれば、気相冷媒熱交換パイプ用枝管２と液相冷媒熱交換パイプ用枝管３はそれぞれ２つの枝管を含み、かつ２つの枝管が熱交換器の両側に位置しているので、販売後の取り付け時に、ユーザの実際の室内構造に応じて、適切な管路出口方向を選択し、エアコンの左側又は右側の管路と直接接続すればよく、他方の側の、管路と接続する必要のない管口をプラグ又はナットによって封止してもよい。よって、取り付け時に、管路を折り曲げる必要がないとともに、管路が走るための空間を機械全体の後ろに予め保留する必要もなく、構造が便利であり、簡単で信頼性がある。さらに、エアコンの設計時に、管路が走るための大きな空間を予め保留する必要がなく、エアコン全体をより小さく、より薄くすることができる。
【００３２】
室内機を交換したり管路出口方向を変更する必要がある場合、従来の管路出口を設ける方式では、継手が室内機の後ろに隠されている可能性があるため、室内機を壁から取り外してから、接続ナットを取り除く必要があり、また、管路出口方向を変更する際に、さらに管路を１８０°だけ折り曲げる必要があり、このような方式では管路を破損しやすく、冷媒の漏洩を招き、エアコンの正常使用を妨害する。本発明の実施例で提供される熱交換器およびエアコンによると、室内機を交換したり管路出口方向を変更する場合、ネジによるエアコンと管路との接続を直接解消すれば、室内機を取り外すことができ、それから室内機を交換するか管路出口方向を変更すればよく、簡単かつ便利であり、取り外す過程を通して、管路の部材に力がかかることはなく、損傷を受けることもない。
【００３３】
以上は、本発明の好適な実施例に過ぎず、本発明を限定することは意図していない。当業者であれば、本発明に様々な変更や変形が可能である。本発明の思想や原則内の如何なる修正、均等の置き換え、改良なども、本発明の保護範囲内に含まれるべきである。
【図１】
0006524230.tif 000002
【図２】
0006524230.tif 000003
【図３】
0006524230.tif 000004